(57)【要約】      （修正有）【課題】縫製された縁部を有せず、簡単かつ安価でさまざまな形状を自由に選択できるパイル起毛繊維製品を提供する。【解決手段】パイル起毛繊維製品１は熱可塑性合成繊維のパイル糸により形成されるパイル生地面２と、パイル生地面２の外周に溶断により形成される外周縁部３と、パイル生地面２内に設けられた印刷面４を有し、柄が表現されている。パイル糸としては熱可塑性合成繊維が使用され、特にポリエステル糸が適している。パイルは生地の片面でもよく、両面でもよい。また、パイル生地は通常のタオル製品のようにパイル織りで形成してもよく、縦編みで形成してもよい。すくなくとも一つの面には、印刷面を有するパイル生地面が設けられる。【選択図】図１
0003195491.tif 000002
【実用新案登録請求の範囲】
【請求項１】
熱可塑性合成繊維のパイル糸により形成されるパイル生地面と、パイル生地面の外周に溶断により形成される外周縁部と、パイル生地面内に設けられた印刷面を有するパイル起毛繊維製品。
【請求項２】
外周縁部が長方形以外の閉曲線により形成されている請求項１に記載のパイル起毛繊維製品。
【請求項３】
外周縁部が動物をモティーフにしたキャラクターの形状である請求項２に記載のパイル起毛繊維製品。
【請求項４】
転写による印刷面がパイル生地面の両面に設けられている請求項１から請求項３のいずれかに記載のパイル起毛繊維製品。
【考案の詳細な説明】
【技術分野】
【０００１】
この考案は、パイル生地を使用した製品に関する。
【背景技術】
【０００２】
フエイスタオルやバスタオルなどパイル起毛された繊維製品は、パイル生地を長方形に切断し、その四辺に縫製による縁部を形成して製造される。その長方形の形状も規格化されており、タオル、フエイスタオル、バスタオルなどそれぞれの製品についてかなり限定された寸法が決められている。
【０００３】
これらのタオル製品の特徴を出すために、パイル糸による柄が表わされることが多い。また、印刷により多様な柄を表現することもなされ、さらには、特許文献１や特許文献２などには、転写印刷により精密な柄を表わしたタオル製品が記載されている。
【先行技術文献】
【特許文献】
【０００４】
【特許文献１】特開２０１３−２４９５４７号公報
【特許文献２】登録実用新案公報第３１５３８９０号公報
【考案の概要】
【考案が解決しようとする課題】
【０００５】
従来のパイル起毛繊維製品は、縫製された外周部を有する。通常の平織り製品であれば、縫製品しなくてもすぐには外周部がほつれない場合もあり、布巾などのようにそのまま製品化されているものもある。しかし、パイル生地の場合は、切断部からすぐにほつれが生じるので、そのまま放置することはできず、かならず縫製がされていた。この縫製により、外周部におけるほつれを防ぐことができるが、この縫製は手間がかかる作業であり、これによりコストおよび製造期間が高くなる。
【０００６】
また、縫製を効果的に行うためには、製品の形状が単純であることが求められ、実際にタオル製品の外形は正方形や長方形などに限られている。特許文献１や特許文献２に記載されたタオルは転写による精密な印刷が施され、美観に優れるが、やはり縫製されており、形状・寸法は通常のタオルの規格である。
【０００７】
この考案は、縫製された縁部を有せず、簡単かつ安価でさまざまな形状を自由に選択できるパイル起毛繊維製品を提供することを目的とする。
【課題を解決するための手段】
【０００８】
上述の課題を解決するため、この考案のパイル起毛繊維製品は熱可塑性合成繊維のパイル糸により形成されるパイル生地面と、パイル生地面の外周に溶断により形成される外周縁部と、パイル生地面内に設けられた印刷面を有する。外周縁部を長方形以外の閉曲線により形成することもできる。さらには、外周縁部を動物をモティーフにしたキャラクターの形状にしてもよい。また、転写による印刷面を両面に設けることもできる。
【考案の効果】
【０００９】
この考案は縫製による縁部処理を行なうことなく、外周部がほつれることのないパイル起毛繊維製品を実現することができ、しかもパイル面に精密な柄を表現することができる。
【図面の簡単な説明】
【００１０】
【図１】パイル起毛繊維製品の例を示す平面図である。
【図２】パイル起毛繊維製品の縦編みパイル生地の例の構造を示す平面図である。
【図３】同底面である。
【考案を実施するための形態】
【００１１】
この考案を実施するための形態について図面に基づいて説明する。図１はパイル起毛繊維製品の例を示す平面図である。パイル起毛繊維製品１はパイル糸により形成されるパイル生地面２と、パイル生地面２の外周に溶断により形成される外周縁部３を有する。そして、パイル生地面内には印刷面４が設けられ、柄が表現されている。
【００１２】
パイル糸としては熱可塑性合成繊維が使用され、特にポリエステル糸が適している。パイルは生地の片面でもよく、両面でもよい。また、パイル生地は通常のタオル製品のようにパイル織りで形成してもよく、縦編みで形成してもよい。すくなくとも一つの面には、印刷面を有するパイル生地面が設けられる。
【００１３】
溶断としては、レーザーによる切断が適している。これにより、直線・曲線を問わず、さまざまな切断線が自由に選択でき、しかも、高速で切断できる。したがって、通常のタオル製品のように長方形に切断することもできるし、長方形以外の閉曲線で外形を形成するように切断することもできる。特に、ポリエステル糸を使用することによって、レーザーの切断線に沿って溶けた糸端が固まって外周縁部が作られ、糸のほつれが効果的に防止される。
【００１４】
印刷面は転写印刷によって設けてもよく、あるいはインクジェットによる印刷などでもよい。とくに昇華転写を用いることにより、写真なども表現できる精密な柄を得ることができる。
【００１５】
図１に示す例について、さらに詳しく説明する。本例ではパイル生地は縦編みにより作成した。まず、このパイル生地の製造方法について説明する。
【００１６】
パイル生地ｘは、縦編編成を有するパイル生地であり、機械編みで製造することができる。このような縦編み機械はすでに普及している。図２はパイル起毛されていない第１面を示している。
【００１７】
縦編編成の各列は、４本の糸を一組にしている。第１面に現れるパイル糸である上パイル糸Ｌ１、パイル止め糸Ｌ２、下糸Ｌ３、そして、第１面の反対側の面である第２面に現れるパイル糸である下パイル糸Ｌ４が組となって各列で用いられる。ここで、ある列ｎにおける各糸に添え字ｎを付けて、それぞれ上パイル糸Ｌ１n、パイル止め糸Ｌ２n、下糸Ｌ３n、下パイル糸Ｌ４nと表わす。
【００１８】
第１面では、列ｎにおける上パイル糸Ｌ１nがその列のパイル止め糸Ｌ２nによって下糸Ｌ３nに止められる止め点Ｐ１が形成される。さらに、上パイル糸Ｌ１nがその隣の列ｎ＋１のパイル止め糸Ｌ２n+1によって下糸Ｌ３n+1に止められる止め点Ｐ２が形成される。したがって、上パイルは寝た状態になる。図２の例では、上パイル糸Ｌ１nは列ｎ＋１の隣、すなわち列ｎから２列離れた列ｎ＋２のパイル止め糸Ｌ２n+2によって下糸Ｌ３n+2に止められる止め点Ｐ３も形成されている。このようにして、第１面では上パイルは表に出ず、第１面はサテン状のフラットな表面になる。
【００１９】
第２面は通常の縦編みパイルの状態である。図３は第１面の反対側の面である第２面を示している。第２面でも、列ｎにおける下パイル糸Ｌ４nの基部がその列のパイル止め糸Ｌ２nによって下糸Ｌ３nに止められる止め点Ｐ０が形成される。しかし、下パイル糸Ｌ４nはそれ以外の列のパイル止め糸Ｌ２n+1によっては止められていない。したがって、第２面においては通常のパイル生地と同様にパイルが突き出た状態である。
【００２０】
以上、この縦編みパイル生地では、第１面がパイル起毛されていないフラットな面である。一方、第２面はパイル面となっており、柔らかな肌触りとなる。
【００２１】
上パイル糸Ｌ１、パイル止め糸Ｌ２、下糸Ｌ３上、下パイル糸Ｌ４の全てにポリエステルのフィラメント糸を使用している。たとえば、フィラメントポリエステル７５デニール／３６やフィラメントポリエステル１４４デニール／７２などを使用することができる。
【００２２】
これらの糸を使用し、２８ゲージ（列）／インチの密度で縦編みをし、パイル生地を得た。このパイル生地に昇華転写（熱転写）で印刷面を形成し、レーザーにより切断することにより、図１に示すようなパイル起毛繊維製品を得た。
【００２３】
レーザーによる切断で、縫製をしなくても外周部にはほつれを防止する縁部３が形成される。図１ではこの外周縁部を強調するために広い幅で表示しているが、実際には１ｍｍ以下の幅に形成でき、外観に影響しない程度である。これでも、十分にほつれを防止することができる。
【００２４】
レーザーによる切断であるので、任意の形状に切り出すことができる。図１の例では動物をモティーフにしたキャラクターの形状にしている。この外形だけでも、これまでのパイル製品とは全く異なる美観を得ることができる。また、ポリエステル糸を使用しているので、昇華転写により精密な柄をほどこすことができる。本例では、一方の面を表側としてキャラクターの前姿を印刷し、図示されていない裏面にキャラクターの後ろ姿を印刷した。この例ではパイルが形成された面と形成されていない面の両方に印刷したが、どちらの面にも美しい柄が表れた。アニメ用イラストのような単純な柄も鮮やかな色彩で表現できるが、また解像度の高い印刷により印影や質感などを表現することも可能である。
【００２５】
この動物キャラクター形状のパイル起毛繊維製品は目新しい形状のタオルハンカチとしても使用できる。パイル面を有するので、吸水性がよく、肌触りも優れている。また、テーブル用のランチョンマットやコースターなどにも適用できる。さらに、マイクロファイバーを使用することにより眼鏡拭きにすることもできる。
【００２６】
本発明ではパイル生地をタオル織機によって製造してもよい。たとえば、上下パイル糸・経糸・緯糸のすべてをポリエステル４０番双糸または２０番単糸などとして、パイル織りすることができる。パイルは片面でも両面でもよい。また、一方の面をシャーリング処理してもよい。やはり、レーザーで所望の形状に切断することにより、そのまま製品とすることができ。
【符号の説明】
【００２７】
１．パイル起毛繊維製品
２．パイル生地面
３．外周縁部
４．印刷面
Ｌ１．上パイル糸
Ｌ２．パイル止め糸
Ｌ３．下糸
Ｌ４．下パイル糸
Ｐ１，Ｐ２，Ｐ３：上パイル糸の止め点
【図１】
0003195491.tif 000003
【図２】
0003195491.tif 000004
【図３】
0003195491.tif 000005